【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
無線端末の位置を推定する方法であって、
端末の位置を推定するのに使用される複数の送信機の識別を受信することと、
複数の送信機の複数の期待区域を判断することと、
少なくとも1つの割り当てられた換算係数に基づいて、各送信機と関係付けられた期待区域を調整して、送信機と関係付けれられた調整期待区域を判断することと、
複数の送信機の複数の期待区域を合成して、端末の位置を推定することとを含む方法。
【請求項２】
近似位置の推定値が、推定位置の不確実性も含む請求項１記載の方法。
【請求項３】
不確実性が、端末が場所を特定される可能性が高い区域によって与えられる請求項２記載の方法。
【請求項４】
近似位置の推定値と第２の位置の推定値とを合成して、端末の最終位置を推定することをさらに含む請求項１記載の方法。
【請求項５】
送信機からの信号が端末によって受信されるときのみ、各送信機と関係付けられた期待区域が、端末の推定位置と、端末が場所を特定される可能性が高い区域とを含む請求項１記載の方法。
【請求項６】
各送信機と関係付けられた期待区域を調整することが、
第１の割り当てられた換算係数に基づいて、期待区域の中心を移動することを含む請求項１記載の方法。
【請求項７】
各送信機と関係付けられた期待区域を調整することが、
第１の割り当てられた換算係数に基づいて、期待区域のサイズを基準化することをさらに含む請求項６記載の方法。
【請求項８】
各送信機と関係付けられた期待区域を調整することが、
第１の割り当てられた換算係数に基づいて、期待区域のサイズを基準化することと、
第２の割り当てられた換算係数に基づいて、期待区域の中心を移動することとをさらに含む請求項１記載の方法。
【請求項９】
各送信機と関係付けられた期待区域を調整することが、
送信機の予測電力および受信電力に基づいて、期待区域の中心を移動することを含む請求項１記載の方法。
【請求項１０】
予測電力が、経路損失予測モデルに基づいて判断される請求項９記載の方法。
【請求項１１】
各送信機の少なくとも1つの換算係数が、端末において測定される送信機の受信信号強度に基づいて判断される請求項１記載の方法。
【請求項１２】
各送信機の少なくとも1つの換算係数が、端末において測定される送信機の受信電力に基づいて判断される請求項１記載の方法。
【請求項１３】
各送信機の少なくとも1つの換算係数が、送信機の送信電力に基づいて判断される請求項１記載の方法。
【請求項１４】
各送信機の少なくとも1つの換算係数が、端末によって行われる往復遅延（round trip delay, RTD）測定値に基づいて判断される請求項１記載の方法。
【請求項１５】
複数の期待区域を合成して、合成期待区域を判断し、端末の位置の推定値として与える請求項１記載の方法。
【請求項１６】
複数の期待区域を合成することが、
複数の期待区域の中心を合成して、合成期待区域の中心を判断することを含む請求項１５記載の方法。
【請求項１７】
各送信機と関係付けられた期待区域が、送信機と関係付けられた最大アンテナ範囲に基づいて判断される請求項１記載の方法。
【請求項１８】
各送信機と関係付けられた期待区域が、送信機のアンテナの場所および向きに基づいて判断される請求項１記載の方法。
【請求項１９】
各送信機と関係付けられた期待区域が、端末の推定位置として使用される場所と、端末が場所を特定される可能性が高い区域とを含む請求項１記載の方法。
【請求項２０】
無線端末の位置を推定する方法であって、
端末の位置を推定するのに使用される複数の送信機の識別を受信することと、
複数の送信機の複数の期待区域を判断することと、複数の送信機の複数の期待区域を合成して、端末の位置を推定することとを含み、
複数の期待区域を合成して、合成期待区域を判断し、端末の位置の推定値として与え、
複数の期待区域を合成することが、各送信機の予測電力および受信電力に基づいて、複数の期待区域の中心を合成して、合成期待区域の中心を判断することを含む方法。
【請求項２１】
複数の送信機の予測電力と受信電力との二乗平均平方根の差が最小化されるように、合成期待区域の中心を判断する請求項２０記載の方法。
【請求項２２】
無線端末の位置を推定する方法であって、
端末の位置を推定するのに使用される複数の送信機の識別を受信することと、
複数の送信機の複数の期待区域を判断することと、
複数の送信機の複数の期待区域を合成して、端末の位置を推定することとを含み、
複数の期待区域を合成して、合成期待区域を判断し、端末の位置の推定値として与え、
複数の期待区域を合成することが、合成期待区域のユニットフォールトを判断することと、ユニットフォールトに基づいて、合成期待区域を基準化することとを含む方法。
【請求項２３】
ユニットフォールトが、合成期待区域と複数の期待区域の各々との正規化平均の分離シグマに基づいて判断される請求項２２記載の方法。
【請求項２４】
無線端末の位置を推定する方法であって、
端末の位置を推定するのに使用される複数の送信機の識別を受信することと、
複数の送信機の複数の期待区域を判断することと、
複数の送信機の複数の期待区域を合成して、端末の位置を推定することとを含み、
複数の期待区域を合成することが、複数の期待区域の複数の重みを判断することを含み、複数の期待区域が、複数の重みに基づいて合成される方法。
【請求項２５】
各期待区域の重みが、期待区域と関係付けられた不確実性に基づいて判断される請求項２４記載の方法。
【請求項２６】
各期待区域と関係付けられた不確実性が、水平方向の推定位置の誤差（horizontal estimated position error, HEPE）として表わされる請求項２５記載の方法。
【請求項２７】
無線端末の位置を推定する方法であって、
端末の位置を推定するのに使用される複数の送信機の識別を受信することと、
複数の送信機の複数の期待区域を判断することと、
複数の送信機の複数の期待区域を合成して、端末の位置を推定することとを含み、
複数の期待区域を合成することが、
複数の期待区域の複数の重みを判断することと、
関係付けられた重みに基づいて複数の期待区域を基準化することと、
基準化された期待区域を合成して、合成期待区域を判断することと、
関係付けられた重みに基づいて、複数の期待区域の中心を基準化することと、
複数の期待区域の基準化された中心を合成して、合成期待区域の中心を判断することとを含み、合成期待区域および合成期待区域の中心が、端末の位置の推定値として与えられる方法。
【請求項２８】
無線通信ネットワークにおいて端末の位置を推定する方法であって、
端末の位置を推定するのに使用される複数の送信機の識別を受信することと、
複数の送信機の各々の期待区域および換算係数を判断することと、
関係付けられた換算係数に基づいて、各期待区域を調整して、調整期待区域を与えることと、
複数の送信機の複数の重みを判断することと、
複数の重みに基づいて、複数の調整期待区域を合成して、合成期待区域を判断し、端末の推定位置として与えることとを含む方法。
【請求項２９】
各送信機の換算係数が、端末において測定される送信機の受信信号強度または受信電力に基づいて判断される請求項２８記載の方法。
【請求項３０】
各期待区域の重みが、期待区域と関係付けられた不確実性に基づいて判断される請求項２８記載の方法。
【請求項３１】
複数の期待区域を合成することが、
関係付けられた重みに基づいて、複数の期待区域の中心に重み付けすることと、
期待区域の重み付き中心を合成して、合成期待区域の中心を判断することと、
関係付けられた重みに基づいて、複数の期待区域を基準化することと、
基準化された期待区域を合成して、合成期待区域を判断することとを含む請求項２８記載の方法。
【請求項３２】
無線通信ネットワークが、ＣＤＭＡネットワークである請求項２８記載の方法。
【請求項３３】
無線通信ネットワーク内の装置であって、
端末の位置を推定するのに使用される複数の送信機の識別を受信する手段と、
複数の送信機の複数の期待区域を判断する手段と、
複数の送信機の複数の期待区域を合成して、端末の位置を推定する手段と、
関係付けられた重みに基づいて、複数の期待区域の中心に重み付けする手段と、
期待区域の重み付き中心を合成して、合成期待区域の中心を判断する手段と、
関係付けられた重みに基づいて、複数の期待区域を基準化する手段と、
基準化された期待区域を合成して、合成期待区域を判断する手段とを含む装置。
【請求項３４】
無線端末の位置を推定する装置であって、
端末の位置を推定するのに使用される複数の送信機の識別を受信する手段と、
複数の送信機の複数の期待区域を判断する手段と、
少なくとも1つの割り当てられた換算係数に基づいて、各送信機と関係付けられた期待区域を調整して、送信機と関係付けれられた調整期待区域を判断する手段と、
複数の送信機の複数の期待区域を合成して、端末の位置を推定する手段とを含む装置。
【請求項３５】
無線端末の位置を推定する装置であって、
端末の位置を推定するのに使用される複数の送信機の識別を受信する手段と、
複数の送信機の複数の期待区域を判断する手段と、
複数の送信機の複数の期待区域を合成して、端末の位置を推定する手段とを含み、
複数の期待区域を合成して、合成期待区域を判断し、端末の位置の推定値として与え、
複数の期待区域を合成することが、各送信機の予測電力および受信電力に基づいて、複数の期待区域の中心を合成して、合成期待区域の中心を判断することを含む装置。
【請求項３６】
無線端末の位置を推定する方法であって、
端末の位置を推定するのに使用される複数の送信機の識別を受信する手段と、
複数の送信機の複数の期待区域を判断する手段と、
複数の送信機の複数の期待区域を合成して、端末の位置を推定する手段とを含み、
複数の期待区域を合成して、合成期待区域を判断し、端末の位置の推定値として与え、複数の期待区域を合成することが、合成期待区域のユニットフォールトを判断することと、ユニットフォールトに基づいて、合成期待区域を基準化することとを含む方法。
【請求項３７】
無線端末の位置を推定する装置であって、
端末の位置を推定するのに使用される複数の送信機の識別を受信する手段と、
複数の送信機の複数の期待区域を判断する手段と、
複数の送信機の複数の期待区域を合成して、端末の位置を推定する手段とを含み、
複数の期待区域を合成する手段が、
複数の期待区域の複数の重みを判断する手段と、
関係付けられた重みに基づいて複数の期待区域を基準化する手段と、
基準化された期待区域を合成して、合成期待区域を判断する手段と、
関係付けられた重みに基づいて、複数の期待区域の中心を基準化する手段と、
複数の期待区域の基準化された中心を合成して、合成期待区域の中心を判断する手段とを含み、合成期待区域および合成期待区域の中心が、端末の位置の推定値として与えられる装置。